(57)【要約】【課題】掻き上げられた潤滑油が供給されて回転し、その回転によって前記潤滑油を軸線方向に飛散させるはすば歯車のいわゆるポンプ作用によって、はすば歯車に供給された潤滑油の一部を予め定められた必要箇所に対して供給することのできる歯車機構の潤滑装置を提供すること。【解決手段】潤滑油が供給されて回転するとともに前記潤滑油を外周方向に飛散させるはすば歯車１９を有する歯車機構の潤滑装置において、前記はすば歯車１９から飛散した潤滑油の一部を受け止めるとともに、前記潤滑油が有する前記はすば歯車１９の軸線方向に向けた運動成分による流動を継続させる方向に前記潤滑油を導く受け部２５が、前記はすば歯車１９の外周側に配置され、さらにその受け部２５から前記潤滑油を予め定められた必要箇所に向けて供給する管路３７，４７が設けられていることを特徴とする。【選択図】  図１
2011214658.tif 000002
【特許請求の範囲】
【請求項１】
潤滑油が供給されて回転するとともに前記潤滑油を外周方向に飛散させるはすば歯車を有する歯車機構の潤滑装置において、
前記はすば歯車から飛散した潤滑油の一部を受け止めるとともに、前記潤滑油が有する前記はすば歯車の軸線方向に向けた運動成分による流動を継続させる方向に前記潤滑油を導く受け部が、前記はすば歯車の外周側に配置され、さらに
その受け部から前記潤滑油を予め定められた必要箇所に向けて供給する管路が設けられていることを特徴とする歯車機構の潤滑装置。
【請求項２】
前記受け部で受け止めた前記潤滑油が流動する方向における前記はすば歯車を有するシャフトを支持する軸受に、前記受け部から前記軸受に供給される前記潤滑油と前記管路を流動して前記予め定められた必要箇所に向けて供給される前記潤滑油とを分けることにより、前記受け部から前記軸受に供給される前記潤滑油の量を調整する油量調整部が設けられていることを特徴とする請求項１に記載の歯車機構の潤滑装置。
【発明の詳細な説明】
【技術分野】
【０００１】
この発明は、歯車が掻き上げた潤滑油によって予め定められた必要箇所を潤滑あるいは冷却する装置に関するものである。
【背景技術】
【０００２】
この種の装置の一例が特許文献１に記載されている。この特許文献１には、デフリングギアによって掻き上げた潤滑油をオイル受け部により受け止め、このオイル受け部で受け止めた潤滑油をオイル受け部よりも鉛直方向で下方に設けられたモータの軸心などの被潤滑部に供給するように構成された装置が記載されている。
【０００３】
また特許文献２には、ファイナルドリブンギアの側面に近接してコの字型のプレートが配置されており、ファイナルドリブンギアの回転により掻き上げられ、そのファイナルドリブンギアの側面に連れまわる潤滑油がコの字プレートによってスクレープされて、すなわち取り除かれた潤滑油をコの字プレートよりも鉛直方向で下方のメインシャフトなど被潤滑部に供給するように構成された装置が記載されている。
【０００４】
さらにまた特許文献３には、ヘリカルギアによって構成されたカウンタドライブギアと同じくヘリカルギアによって構成されたカウンタドリブンギアとの噛み合い部が浸漬されるようにケースの内部に潤滑油を貯留し、これらのギアの噛み合い部から圧送される潤滑油をキャッチタンクに導くようにガイド通路が形成された装置が記載されている。
【先行技術文献】
【特許文献】
【０００５】
【特許文献１】特開２００３−３３６７２９号公報
【特許文献２】特開２００６−７１０３８号公報
【特許文献３】特開２００７−３２７９７号公報
【発明の概要】
【発明が解決しようとする課題】
【０００６】
上述した特許文献１および２に記載された発明は、掻き上げられた潤滑油が供給されるオイル受け部などからその鉛直方向で下方のモータの軸心などの被潤滑部に潤滑油を供給するように構成されている。言い換えれば、モータの軸心などの被潤滑部よりも鉛直方向で上方のオイル受け部から潤滑油の自重、言い換えれば水頭圧により被潤滑部に潤滑油が供給されるように構成されている。また、潤滑油を掻き上げるデフリングギアなどの歯車の配置によっては、オイル受け部などに掻き上げられる潤滑油量が不足し、したがって、オイル受け部から被潤滑部に供給される潤滑油の供給量や供給圧が不足する虞があり、未だ改善の余地があった。
【０００７】
また、特許文献３に記載された発明によれば、カウンタドライブギアとカウンタドリブンギアとの噛み合い部を潤滑油によって浸漬させる必要があり、したがってこれらのギアの撹拌損失が増大する虞がある。
【０００８】
この発明は上記の技術的課題に着目してなされたものであり、掻き上げられた潤滑油が供給されて回転し、その回転によって前記潤滑油を軸線方向に飛散させるはすば歯車のいわゆるポンプ作用によって、はすば歯車に供給された潤滑油の一部を例えばモータの軸心などを含む潤滑必要箇所に対して供給することのできる歯車機構の潤滑装置を提供することを目的とするものである。
【課題を解決するための手段】
【０００９】
上記の目的を達成するために、請求項１の発明は、潤滑油が供給されて回転するとともに前記潤滑油を外周方向に飛散させるはすば歯車を有する歯車機構の潤滑装置において、前記はすば歯車から飛散した潤滑油の一部を受け止めるとともに、前記潤滑油が有する前記はすば歯車の軸線方向に向けた運動成分による流動を継続させる方向に前記潤滑油を導く受け部が、前記はすば歯車の外周側に配置され、さらにその受け部から前記潤滑油を予め定められた必要箇所に向けて供給する管路が設けられていることを特徴とするものである。
【００１０】
請求項２の発明は、請求項１の発明において、前記受け部で受け止めた前記潤滑油が流動する方向における前記はすば歯車を有するシャフトを支持する軸受に、前記受け部から前記軸受に供給される前記潤滑油と前記管路を流動して前記予め定められた必要箇所に向けて供給される前記潤滑油とを分けることにより、前記受け部から前記軸受に供給される前記潤滑油の量を調整する油量調整部が設けられていることを特徴とする歯車機構の潤滑装置である。
【発明の効果】
【００１１】
請求項１の発明によれば、はすば歯車の歯のいわゆる捩れ角によってその歯からはすば歯車の軸線方向に押し出されて飛散した潤滑油が受け部で受け止められる。また、この受け部は、その受け止めた潤滑油のはすば歯車の軸線方向に向けた運動成分による流動を継続させる方向にその潤滑油を導くようになっている。そして、その導かれた潤滑油は管路を流動して予め定められた必要箇所に供給される。その結果、はすば歯車に供給された潤滑油を、はすば歯車のいわゆるポンプ作用により予め定められた必要箇所に供給できる。言い換えれば、はすば歯車に供給された潤滑油を回収して予め定められた必要箇所に供給できる。そしてこれにより、予め定められた必要箇所における油量の不足を防止もしくは抑制できる。また、はすば歯車のいわゆるポンプ作用によって潤滑油を圧送するので、例えば掻き上げた潤滑油をいわゆるキャッチタンクに供給し、そのキャッチタンクから水頭圧によって予め定められた必要箇所に潤滑油を供給する場合に比較して、潤滑油の供給圧力を増大させることができる。さらにまた、いわゆる掻き上げによって供給される油量がある程度少なく、またいわゆる水頭圧では潤滑あるいは冷却に必要とする油量の確保が困難な箇所であっても、はすば歯車のいわゆるポンプ作用によって潤滑油を供給できる。
【００１２】
請求項２の発明によれば、請求項１の発明による効果と同様の効果に加えて、はすば歯車のいわゆるスラスト方向に設けられた軸受に供給する油量と管路を流動して予め定められた必要箇所に供給する油量とを油量調整部によって分けることができる。そしてこれにより、軸受に供給する油量を調整することができる。その結果、軸受に過剰に潤滑油が供給されて軸受の撹拌損失が増大することを防止もしくは抑制できる。言い換えれば、軸受の潤滑と軸受の動力損失とを両立させることができる。また、油量調整部によって軸受に供給する油量と管路を流動して予め定められた必要箇所に供給する油量とを分けることにより、はすば歯車のいわゆるポンプ作用によって予め定められた必要箇所に供給される潤滑油の流動が、軸受に衝突することを防止もしくは抑制できる。言い換えれば、軸受の遠心力によって潤滑油の流動が阻害されることを防止もしくは抑制できる。さらにまた、軸受に供給する油量を調整できることから、管路を流動して予め定めた必要箇所に供給される油量を増大させることができる。
【図面の簡単な説明】
【００１３】
【図１】この発明に係る歯車機構の潤滑装置を適用した車両のハイブリッドトランスアクスルの側面図である。
【図２】図１におけるII−II線に沿う断面図である。
【図３】図２に示す構成を改良した例を模式的に示す図である。
【図４】この発明における油量調整部を模式的に示す図である。
【図５】図２に示す構成を更に改良した例を模式的に示す図である。
【図６】図２に示す構成を更に改良した例を模式的に示す図である。
【図７】図１に示す受け部の形状を改良した例を模式的に示す図である。
【図８】図１に示す受け部の形状を更に改良した例を模式的に示す図である。
【図９】図２に示す構成を更に改良した例を模式的に示す図である。
【図１０】この発明に係る歯車機構の潤滑装置を適用した車両の構成を示すスケルトン図である。
【発明を実施するための形態】
【００１４】
図１０に、この発明に係る歯車機構の潤滑装置を適用した車両の構成をスケルトン図で示してある。ここに示す例は、いわゆるツーモータ式のハイブリッド装置を搭載した車両の例である。図１０において、エンジン１の出力軸２がクラッチ（図示せず）を介して動力分配機構３に連結されている。エンジン１は、要は燃料を燃焼して機械的な動力を出力する熱機関であり、ガソリンエンジンやディーゼルエンジンあるいはガスを燃料としたガスエンジンなどがその例である。動力分配機構３は、三つの回転要素によって差動作用をおこなうように構成されたいわゆる差動機構であり、それらの三つの回転要素は、歯車やローラである。その一例として、動力分配機構３は、外歯歯車であるサンギア４と、そのサンギア４に対して同心円上に配置された内歯歯車であるリングギア５と、これらサンギア４およびリングギア５の間に配置されてこれらサンギア４とリングギア５とに噛み合っているピニオンギア６を自転かつ公転できるように支持しているキャリヤ７とを回転要素として備えている。
【００１５】
前述したエンジン１の出力軸２はクラッチを介してキャリヤ７に連結されており、サンギア４には第１モータ・ジェネレータ（ＭＧ１）８が連結されている。この第１モータ・ジェネレータ８は、一例として永久磁石式の交流同期電動機であって、詳細は図示しないが、インバータを介して蓄電装置に接続されている。そして、この第１モータ・ジェネレータ８は、蓄電装置から電力が供給されることによりモータとして機能し、また強制的に回転させられることにより発電を行って蓄電装置に充電するように構成されている。この第１モータ・ジェネレータ８のロータ軸は中空軸であって、その内部に油路が形成されており、この油路に潤滑油を供給することにより第１モータ・ジェネレータ８を潤滑あるいは冷却するようになっている。
【００１６】
さらに、出力部材であるリングギア５の外周側には、カウンタドライブギア９が一体化されて設けられている。このカウンタドライブギア９にカウンタドリブンギア１０が噛み合っている。このカウンタドリブンギア１０は前述した出力軸２と平行でかつ回転自在に配置されたカウンタ軸１１に取り付けられており、そのカウンタ軸１１には出力ギア１２が更に取り付けられている。この出力ギア１２は、デフリングギア１３に噛み合っている。このデフリングギア１３は、終減速機であるデファレンシャルギア１４のデフケース１５に一体化されたギアであり、したがってこのデファレンシャルギア１４からドライブシャフト１６を介して左右の駆動輪１７に駆動トルクを伝達するように構成されている。
【００１７】
さらに、上述したリングギア５と駆動輪１７との間の伝動機構に対して、いわゆるパワートレインに対してトルクを付与する第２モータ・ジェネレータ（ＭＧ２）１８が設けられている。この第２モータ・ジェネレータ１８は、前述した第１モータ・ジェネレータ８と同様に、一例として永久磁石式の交流同期電動機によって構成され、詳細は図示しないが、インバータを介して蓄電装置に接続されている。そして、この第２モータ・ジェネレータ１８は、前述したカウンタドリブンギア１０に噛み合っている駆動ギア１９に連結されており、したがって第２モータ・ジェネレータ１８の出力トルクを駆動ギア１９およびカウンタドリブンギア１０ならびに出力ギア１２を介してデファレンシャルギア１４に伝達し、ここから左右の駆動輪１７にトルクを伝達するようになっている。この第２モータ・ジェネレータ１８のロータ軸は中空軸であって、その内部に油路が形成されており、この油路に潤滑油を供給することにより第２モータ・ジェネレータ１８を潤滑あるいは冷却するようになっている。なお、出力ギア１２に対してデフリングギア１３が大径であるから、第２モータ・ジェネレータ１８からデファレンシャルギア１４に到る歯車機構は減速機構を構成している。
【００１８】
図１に、この発明に係る歯車機構の潤滑装置を適用した車両のハイブリッドトランスアクスルの側面図を示してある。ここに示す例は、ハイブリッドトランスアクスル２０のケーシング２１の内部に収容される動力伝達軸を、そのケーシング２１の内部に収容される動力伝達軸の軸線方向から見た状態を示してある。図１での上方がハイブリッドトランスアクスル２０を車両に取り付けた場合における車両の高さ方向で上方であり、図１での下方がハイブリッドトランスアクスル２０を車両に取り付けた場合における車両の高さ方向で下方である。このケーシング２１の内部において、出力軸２とこれに同軸線上に設けられている第１モータ・ジェネレータ８との回転軸線に平行かつ車両の高さ方向でこれらの回転軸線よりも上方にカウンタ軸１１が配置されている。
【００１９】
カウンタ軸１１には、前述したカウンタドリブンギア１０が設けられており、これらの回転軸線に平行かつ車両の高さ方向でこれらの回転軸線よりも下方にデファレンシャルギア１４が配置されている。すなわち、デファレンシャルギア１４のデファレンシャル軸は、カウンタ軸１１と平行に配置されている。さらにまた、カウンタ軸１１の回転軸線に平行かつ車両の高さ方向でカウンタ軸１１の回転軸線よりも上方に第２モータ・ジェネレータ１８が配置されている。すなわち、カウンタ軸１１の回転軸線に平行かつ車両の高さ方向で上方に、第２モータ・ジェネレータ１８のロータ軸が配置されている。
【００２０】
ケーシング２１の底部には、潤滑油を貯留するオイル溜まり部２２が設けられており、このオイル溜まり部２２に貯留されている潤滑油にデフリングギア１３の少なくとも一部が浸漬されるようになっている。また、ケーシング２１の上部であって、デフリングギア１３の上方にデフリングギア１３の回転によって掻き上げられた潤滑油が供給されるキャッチタンク２３が設けられている。キャッチタンク２３には、デフリングギア１３の回転により掻き上げた潤滑油をその内部に受け入れる流入口２４が形成されている。また、詳細は図示しないが、例えばキャッチタンク２３の底部あるいは側面には、その内部に受け入れた潤滑油をキャッチタンク２３から予め定められた必要箇所に供給するための供給口が形成されており、その供給口から予め定められた必要箇所に潤滑油を供給するようになっている。
【００２１】
さらに、図１において、第２モータ・ジェネレータ１８もしくは駆動ギア１９の半径方向外側であって、これらの回転軸線よりも車両の高さ方向で下方の一部に、円弧状の受け部２５が設けられている。駆動ギア１９は、その一例としてはすば歯車（ヘリカルギアと呼ばれることがある。）によって構成されており、したがって、この駆動ギア１９がこの発明におけるはすば歯車に相当する。受け部２５は、はすば歯車によって構成されている駆動ギア１９の歯のいわゆる捩れ角によってその軸線方向に、すなわちスラスト方向に押し出されて飛散した潤滑油を受け止めて、この受け止めた潤滑油の有するはすば歯車の軸線方向に向けた運動成分による流動を継続させる方向にその潤滑油を導くようになっている。
【００２２】
要は、受け部２５は、駆動ギア１９の回転にともなって、その歯の捩れ角によってその軸線方向に押し出されて飛散した潤滑油を受け止めて、その受け止めた潤滑油が有する駆動ギア１９の軸線方向の運動成分による流動を継続させる方向に導くように構成されていればよい。なお、各回転部材の回転方向を矢印Ａで示してあり、潤滑油の流動あるいは飛散の方向を矢印Ｂで示してある。
【００２３】
図２に、図１におけるII−II線に沿う断面図を示してある。第２モータ・ジェネレータ１８のロータ軸２６は、軸受２７，２８によってケーシング２１に回転自在に取り付けられている。このロータ軸２６は、その内部が中空の円筒形状に形成されており、その内部に油路２９が形成されている。詳細は図示しないが、この油路２９に供給された潤滑油がロータ軸２６に形成された潤滑油の供給孔（図示せず）を通って、例えば潤滑油の供給圧やロータ軸２６の回転にともなう遠心油圧によって第２モータ・ジェネレータ１８の内部に、すなわちロータ３０やステータ３１に供給されるようになっている。
【００２４】
このロータ軸２６は、これと同軸のギアシャフト３２に動力伝達可能に連結されており、このギアシャフト３２に一体化して前述した駆動ギア１９が設けられている。このギアシャフト３２は、ロータ軸２６と同様に、その内部が中空の円柱形状に形成されており、その内部に油路３３が形成されている。この油路３３と前述したロータ軸２６の油路２９とは連通されている。また、ギアシャフト３２は、軸受３４，３５によってケーシング２１に回転自在に取り付けられている。
【００２５】
また、図２に示す例では、駆動ギア１９のスラスト方向に設けられた軸受３５の取り付け部３６に、言い換えれば、取り付け部３６における軸受３５側に、すなわち軸受３５における車両の高さ方向で下側の取り付け部３６に切り欠き部３７が設けられている。この切り欠き部３７は、取り付け部３６の少なくとも一部を切り欠いて、取り付け部３６における駆動ギア１９側と前述した油路３３とを連通するようになっている。そして、駆動ギア１９の半径方向外側であって、駆動ギア１９よりも下方の少なくとも一部に前述した円弧状の受け部２５が設けられている。図２において、この受け部２５は、その一方の端部が取り付け部３６に接続されている。すなわち、受け部２５は、駆動ギア１９の回転によってその歯からスラスト方向に押し出されて飛散した潤滑油を受け止めて、この受け止めた潤滑油の有するスラスト方向に向けた運動成分による流動を継続させて、前述した切り欠き部３７に導くようになっている。
【００２６】
したがって、図１および図２に示すように構成した歯車機構の潤滑装置においては、デフリングギア１３が掻き上げた潤滑油が回転する駆動ギア１９に降りかかると、駆動ギア１９の歯のいわゆる捩れ角によってその軸線方向に押し出されて飛散した潤滑油が受け部２５で受け止められる。そして、この受け止められた潤滑油は、その受け止められた潤滑油の有する駆動ギア１９の軸線方向に向けた運動成分による流動を継続させる方向に受け部２５によって導かれる。より具体的に説明すると、駆動ギア１９から飛散した潤滑油は、受け部２５によって受け止められ、この受け部２５が受け止めた潤滑油は、図２において駆動ギア１９側からその右側に配置されている軸受３５側に導かれる。言い換えれば、駆動ギア１９に降りかかった潤滑油は、駆動ギア１９のいわゆるポンプ作用によって軸受３５側に供給される。そして、その受け部２５によって受け止められて軸受３５側に導かれた潤滑油は、切り欠き部３７に供給される。この切り欠き部３７は油路３３に連通しているので、駆動ギア１９に降りかかった潤滑油は、駆動ギア１９のいわゆるポンプ作用によって受け部２５および切り欠き部３７を流動して油路３３に供給される。
【００２７】
したがって図１および図２に示す構成では、駆動ギア１９のスラスト方向に飛散した潤滑油の少なくとも一部を、受け部２５によって受け止めるとともにそのスラスト方向の運動を継続させるように切り欠き部３７に導くことにより、その潤滑油を切り欠き部３７から油路２９，３３に回収もしくは供給できる。そしてこれにより、油路２９，３３における油量の不足を防止もしくは抑制できる。また、はすば歯車によって構成された駆動ギア１９のいわゆるポンプ作用によって潤滑油を油路２９，３３に供給するので、例えば掻き上げた潤滑油をいわゆるキャッチタンク２３に供給し、そのキャッチタンク２３から水頭圧によって潤滑油を油路２９，３３に供給する場合に比較して、潤滑油の供給圧力を増大させることができる。
【００２８】
ところで、駆動ギア１９から飛散した潤滑油を受け部２５が受け止めると、この受け部２５はその受け止めた潤滑油が有するスラスト方向の流動を継続させる方向に導くので、そのスラスト方向に設けられている軸受３５に供給される油量が増大する。言い換えると、駆動ギア１９が疑似ポンプとして作用し、軸受３５に供給される油量が増大して、これが軸受３５における撹拌損失の増大の原因になる虞がある。また、軸受３５に供給された潤滑油の一部は、軸受３５の遠心力によりその流動が阻害される虞がある。すなわち、潤滑油の流動が阻害されることにより、切り欠き部３７を通って油路２９，３３に供給される油量が減少する虞がある。したがって、この発明に係る歯車機構の潤滑装置は、受け部２５から軸受３５に供給される油量と前述した切り欠き部３７を流動して油路２９，３３に供給される油量とを分けることにより、軸受３５に供給される油量を調整するように構成することができる。
【００２９】
図３に、図２に示す構成を改良した例を模式的に示してある。ここに示す例は、駆動ギア１９のスラスト方向に設けられた軸受３６の軸線方向における両側面に、複数の油孔３８が形成されたリング形状の薄板３９，４０が設けられている。そしてこのリング形状の薄板３９，４０によって、受け部２５から軸受３５に供給される油量を調整するように構成した例である。また、軸受３５にリング形状の薄板３９，４０を設けることにより、切り欠き部３７を通って油路２９，３３に供給される潤滑油の流動が軸受３５の遠心力により阻害されないように構成した例である。言い換えれば、駆動ギア１９のポンプ作用によって圧送される潤滑油を軸受３５と油路２９，３３とにいわゆる仕分けするように構成した例である。したがって、このリング形状の薄板３９，４０がこの発明おける油量調整部に相当する。
【００３０】
具体的に説明すると、図４に、この発明における油量調整部を模式的に示してある。前述したように、油量調整部３９はリング形状に形成されており、その内周縁４１と外周縁４２との間の側面４３が、軸受３５の側面に対向するようになっている。すなわち、図４に示す構成では、油量調整部３９と軸受３５とは同心円状に構成されており、内周縁４１の半径方向で内側に、ギアシャフト３２が貫通するようになっている。そして、その内周縁４１と外周縁４２との間の側面４３に少なくとも複数の油孔３８が形成されており、これらの油孔３８から軸受３５に潤滑あるいは冷却のための潤滑油が供給されるようになっている。したがってこれらの油孔３８の径あるいは数は、前述したように、軸受３５を潤滑および冷却するとともに、潤滑油がある程度過剰に供給されることによる撹拌損失の増大を防止もしくは抑制できる径あるいは数であり、これは、使用する軸受に応じて予め実験などにより求めておくことができる。また、軸受３５に供給されなかった潤滑油は、側面４３を流動し、切り欠き部３７を通って油路２９，３３に供給されるようになっている。
【００３１】
したがって、図３および図４に示すよう構成された歯車機構の潤滑装置においては、受け部２５によって導かれて軸受３５に供給される潤滑油は、リング形状の油量調整部３９，４０によって軸受３５に供給される油量と切り欠き部３７を通って油路２９，３３に供給される油量とが分けられる。その結果、軸受３５には、その潤滑および冷却に必要とする油量だけ供給され、他の潤滑油は切り欠き部３７を流動して油路２９，３３に供給される。したがって、軸受３５にある程度過剰に潤滑油が供給されて軸受３５の撹拌損失が増大することを防止もしくは抑制できる。言い換えれば、軸受３５に油量調整部３９，４０を設けることにより、軸受３５の潤滑および冷却と軸受３５の撹拌損失の低減とを両立させることができる。また、軸受３５の側面が油量調整部３９，４０の側面４３によって覆われているので、駆動ギア１９のポンプ作用によって圧送された潤滑油の流動が軸受３５によって阻害されることを防止もしくは抑制できる。すなわち、潤滑油の流動が、軸受３５の回転や遠心力の影響を受けることを防止もしくは抑制できる。したがって、軸受３５に油量調整部３９，４０を設けることにより、軸受３５に供給する油量をある程度最適化するとともに、油路２９，３３などの予め定められた必要箇所における油量の不足を防止もしくは抑制できる。
【００３２】
図５に、図２に示す構成を更に改良した例を模式的に示してある。ここに示す例は、受け部２５によって受け止められて、その受け止められた潤滑油が有する駆動ギア１９の軸線方向に向けた運動成分による流動をキャッチタンク２３に導くように構成した例である。具体的には、図５に示す例では、切り欠き部３７とキャッチタンク２３とキャッチタンク用油路４４によって連通することにより、駆動ギア１９のポンプ作用によって圧送された潤滑油をキャッチタンク２３に供給できるように構成されている。このキャッチタンク用油路４４は、ケーシング２１に形成してもよいし、また、例えばパイプなどにより構成してもよい。要は、キャッチタンク用油路４４は、受け部２５で受け止めた潤滑油が、すなわち駆動ギア１９によって圧送された潤滑油がキャッチタンク２３に供給されるように構成されていればよい。
【００３３】
したがって、図５に示すよう構成した歯車機構の潤滑装置においては、デフリングギア１３が掻き上げた潤滑油が駆動ギア１９に降りかかると、その潤滑油は駆動ギア１９の歯の捩れ角によってその軸線方向に押し出されて飛散させられる。そして、その飛散した潤滑油の少なくとも一部が受け部２５に受け止められ、また受け部２５によってガイドされて切り欠き部３７に供給される。この切り欠き部３７とキャッチタンク２３とは、前述したキャッチタンク用油路４４によって連通されているから、駆動ギア１９に降りかかった潤滑油は、駆動ギア１９のいわゆるポンプ作用によって受け部２５および切り欠き部３７ならびにキャッチタンク用油路４４を流動してキャッチタンク２３に供給される。なお、この切り欠き部３７ならびにキャッチタンク用油路４４がこの発明における管路に相当する。
【００３４】
したがって図５に示す構成では、駆動ギア１９に降りかかった潤滑油の少なくとも一部を回収してキャッチタンク２３に供給できる。すなわち、デフリングギア１３からキャッチタンク２３に掻き上げられる油量がある程度少ない場合に、キャッチタンク２３における油量を増大させることができる。その結果、キャッチタンク２３から例えば第２モータ・ジェネレータ１８などの予め定められた必要箇所に供給する油量を増大させることができる。したがって、キャッチタンク２３から予め定められた必要箇所に潤滑あるいは冷却のために供給する油量の不足を防止もしくは抑制できる。
【００３５】
図６に、図２に示す構成を更に改良した例を模式的に示してある。ここに示す例は、駆動ギア１９から飛散した潤滑油を受け部２５によって受け止め、その受け止めた潤滑油を油路２９，３３およびキャッチタンク２３に供給するように構成するとともに、軸受３５に前述した油量調整部３９，４０を設けた例である。したがって、図６に示すように構成された歯車機構の潤滑装置においては、デフリングギア１３が掻き上げた潤滑油が駆動ギア１９に降りかかると、その潤滑油は、駆動ギア１９の歯の捩れ角によってその軸線方向に押し出されて飛散させられる。そして、その飛散した潤滑油の少なくとも一部は受け部２５に受け止められ、また受け部２５によってガイドされて、駆動ギア１９のスラスト方向に設けられている軸受３５や切り欠き部３７に供給される。図６において、軸受３５の両側面には油量調整部３９，４０が設けられているため、前述したように軸受３５に供給される潤滑油と切り欠き部３７を流動する潤滑油とがいわゆる仕分けされる。この切り欠き部３７は、油路２９，３３およびキャッチタンク用油路４４を介してキャッチタンク２３に連通されているから、切り欠き部３７を流動する潤滑油は油路２９，３３あるいはキャッチタンク用油路４４を介してキャッチタンク２３に供給される。そして、キャッチタンク２３に供給された潤滑油は、キャッチタンク２３から例えば第２モータ・ジェネレータ１８などの予め定められた必要箇所に供給される。
【００３６】
したがって図６に示す構成では、駆動ギア１９に降りかかった潤滑油の少なくとも一部を受け部２５によって回収できるとともに、その回収した潤滑油を油量調整部３９，４０によって軸受３５に供給する油量と切り欠き部３７を流動させる油量とに分けることができる。したがって、ある程度過剰な油量が軸受３５に供給されることにより軸受３５における撹拌損失が増大することを防止もしくは抑制できる。またこれにより、油路２９，３３およびキャッチタンク２３における油量の不足を防止もしくは抑制できる。したがって、油路２９，３３からロータ３０やステータ３１になどの予め定められた必要箇所に供給される油量の不足を防止もしくは抑制できる。また、キャッチタンク２３から例えば第２モータ・ジェネレータ１８などの予め定められた必要箇所に供給される油量の不足を防止もしくは抑制できる。
【００３７】
図７に、図１に示す受け部の形状を改良した例を模式的に示してある。図７において、受け部４５は、駆動ギア１９の半径方向外側であって駆動ギア１９よりも下方の少なくとも一部に直線状に設けられている。また、図８に、図１に示すリブの形状を更に改良した例を模式的に示してある。図８において、受け部４６は、複数のボルトやピンなどの円柱形状の部材が互いに平行かつ駆動ギア１９やギアシャフト３２などの軸線方向に対して平行に設けられるとともに、所定の間隔を隔てて配置されて構成されている。
【００３８】
したがって、図７および図８に示すよう構成した歯車機構の潤滑装置においては、駆動ギア１９に降りかかった潤滑油は、駆動ギア１９の歯の捩れ角によってその軸線方向に押し出されて飛散させられる。そして、その飛散した潤滑油の少なくとも一部は直線状の受け部４５あるいは複数の部材によって構成された受け部４６によって受け止められる。その潤滑油は、受け部４５あるいは受け部４６によってその潤滑油が有する駆動ギア１９の軸線方向に向けた運動成分による流動を継続させる方向に導かれる。言い換えれば、駆動ギア１９に降りかかった潤滑油は、駆動ギア１９のポンプ作用によって圧送され、その圧送された潤滑油が予め定められた必要箇所に供給される。
【００３９】
したがって、図７および図８に示す構成では、駆動ギア１９の捩れ角を有する歯によってその軸線方向に飛散した潤滑油の少なくとも一部を、受け部４５，あるいは受け部４６によって受け止めるとともにその軸線方向の運動を継続させることができる。言い換えれば、駆動ギア１９に降りかかった潤滑油は、駆動ギア１９のポンプ作用によって圧送されるから、その圧送された潤滑油を予め定められた必要箇所に供給できる。したがって、予め定められた必要箇所における油量の不足を防止もしくは抑制できる。また、はすば歯車によって構成された駆動ギア１９のいわゆるポンプ作用によって潤滑油を予め定められた必要箇所に供給するので、例えば掻き上げた潤滑油をいわゆるキャッチタンク２３に供給し、そのキャッチタンク２３から水頭圧によって予め定められた必要箇所に潤滑油を供給する場合に比較して、潤滑油の供給圧力を増大させることができる。
【００４０】
図９に、図２に示す構成を更に改良した例を模式的に示してある。ここに示す例は、前述した受け部２５とギアシャフト３２の内部に形成される油路３３とを円筒形状の例えばパイプ４７によって連通するように構成した例である。このパイプ４７は、駆動ギア１９から飛散した潤滑油を受け止める受け部２５に一方の端部が接続されており、他方の端部が油路３３に接続されている。したがって、図９に示すよう構成した歯車機構の潤滑装置においては、駆動ギア１９からその軸線方向に飛散し、受け部２５によって受け止められた潤滑油は、パイプ４７の内部を流動して油路２９，３３に供給される。言い換えれば、駆動ギア１９のポンプ作用によって圧送された潤滑油は、パイプ４７の内部を流動して油路２９，３３に供給される。
【００４１】
したがって、図９に示す構成では、前述したように駆動ギア１９からその軸線方向に飛散した潤滑油の少なくとも一部を、受け部２５によって受け止めるとともにその軸線方向の運動を継続させることによりパイプ４７の内部を流動させて油路２９，３３などの予め定められた必要箇所に供給できる。したがって、このような構成においても、予め定められた必要箇所における油量の不足を防止もしくは抑制できる。また、図９に示す構成では、受け部２５からパイプ４７を介して予め定められた必要箇所に供給するように構成されている。したがって、軸受３５にある程度過剰に潤滑油が供給されることを防止もしくは抑制できる。また、受け部２５からパイプ４７を介して必要箇所に供給するから、軸受３５の遠心力により潤滑油の流動が阻害されることを防止もしくは抑制できる。さらにまた、詳細は図示しないが、パイプ４７とキャッチタンク２３と連通すれば、前述したように潤滑油をキャッチタンク２３に供給できる。すなわち、キャッチタンク２３における油量の不足を防止もしくは抑制できる。
【００４２】
したがって、このような構成の歯車機構の潤滑装置においては、はすば歯車の外周側に受け部を配置し、この受け部によってはすば歯車の軸線方向に飛散した潤滑油を受け止めるとともに、その潤滑油の軸線方向に向けた流動を継続させる方向に導くことにより、受け部から予め定められた必要箇所に潤滑油を供給できる。言い換えれば、このような受け部を設けることにより、はすば歯車のポンプ作用によって圧送された潤滑油を予め定められた必要箇所に供給できる。
【符号の説明】
【００４３】
１３…デフリングギア、  １９…駆動ギア、  ２２…オイル溜まり部、  ２５…リブ、  ２６…ロータ軸、  ２９…ロータ軸内部の油路、  ３２…ギアシャフト、  ３３…ギアシャフト内部の油路、  ３４，３５…軸受、  ３６…取り付け部、  ３７…切り欠き部、  ３９，４０…油量調整部、  ４４…キャッチタンク用油路。
【図１】
2011214658.tif 000003
【図２】
2011214658.tif 000004
【図３】
2011214658.tif 000005
【図４】
2011214658.tif 000006
【図５】
2011214658.tif 000007
【図６】
2011214658.tif 000008
【図７】
2011214658.tif 000009
【図８】
2011214658.tif 000010
【図９】
2011214658.tif 000011
【図１０】
2011214658.tif 000012